(57)【特許請求の範囲】
【請求項１】
第一の送信データの最後尾部分に付された第一のデータ部分と第二の送信データの先頭部分に付された第二のデータ部分とがオーバラップされて、前記第一の送信データと前記第二の送信データとを結合して送信する無線送信装置において、
前記第一のデータ部分の開始タイミングと前記第二のデータ部分の開始タイミングのずれを検出する検出部と、
検出されたずれに基づいて、前記第一のデータ部分の開始タイミングと前記第二のデータ部分の開始タイミングとが一致するように、前記第一の送信データの最後尾部分の長さを調整する調整部と、
開始タイミングが一致した前記第一のデータ部分と前記第二のデータ部分とをオーバラップさせて前記第一の送信データと前記第二の送信データとを加算することにより、前記第一の送信データと前記第二の送信データを結合する加算部とを備えることを特徴とする無線送信装置。
【請求項２】
請求項１において、
前記調整部は、
入力された前記第一の送信データを複数の異なるタイミングでそれぞれ出力する第一の遅延回路と、
前記第一の遅延回路から複数の異なるタイミングで出力される複数の前記第一の送信データが入力され、検出されたずれに基づいて、複数の前記第一の送信データのうちの一つを選択して出力するセレクタとを備え、
前記セレクタから出力される第一の送信データが前記加算部に入力されることを特徴とする無線送信装置。
【請求項３】
請求項２において、
前記調整部は、入力された前記第二の送信データを１クロック遅延させて出力する第二の遅延回路を備え、
前記第一の遅延回路は、入力された前記第一の送信データを１クロック遅延させて出力する第一のタイミングと、入力された前記第一の送信データを２クロック遅延させて出力する第二のタイミングと、入力された前記第一の送信データを遅延させずに出力する第三のタイミングで前記第一の送信データを出力し、
前記セレクタは、前記第二のデータ部分の開始タイミングが前記第一のデータ部分の開始タイミングより１クロック遅い場合、前記第二のタイミングで出力される前記第一の送信データを選択し、前記第二のデータ部分の開始タイミングが前記第一のデータ部分の開始タイミングより１クロック早い場合、前記第三のタイミングで出力される前記第一の送信データを選択し、前記第二のデータ部分の開始タイミングと前記第一のデータ部分の開始タイミングとが一致している場合、前記第一のタイミングで出力される前記第一の送信データを選択することを特徴とする無線送信装置。
【請求項４】
請求項３において、
前記第一の遅延回路は、さらに、入力された前記第一の送信データを３クロック以上の所定クロック遅延させて出力する第四のタイミングで前記第一の送信データを出力可能であって、
前記セレクタは、前記第二のデータ部分の開始タイミングが前記第一のデータ部分の開始タイミングより前記所定クロック遅い場合は、前記第四のタイミングで出力される前記第一の送信データを選択することを特徴とする無線送信装置。
【請求項５】
請求項４において、
前記検出部は、すでに取得している前記第一の送信データに関する所定の基準タイミング信号に基づいて前記第一のデータ部分の開始タイミングを求め、前記第二のデータ部分の入力に基づいて第二のデータ部分の開始タイミングを求め、当該求められた前記第一のデータ部分の開始タイミングと前記第二のデータ部分の開始タイミング入力タイミングとのずれを検出することを特徴とする無線送信装置。
【発明の詳細な説明】
【技術分野】
【０００１】
本発明は、移動無線システムにおける無線送信装置に関し、特に、ブロック単位のデータを送信する際に、先の送信データの最後尾部分に付されたデータ部分と後の送信データの先頭部分に付されたデータ部分とをオーバラップさせて送信データを結合して送信する無線送信装置に関する。
【背景技術】
【０００２】
ＯＦＤＭ(Orthogonal Frequency Division Multiplexing：直交周波数分割多重)は、直交化された複数のサブキャリアで信号伝送を行うため、周波数利用効率が高く、高速伝送を実現することができる通信方式であり、無線ＬＡＮや地上波デジタルＴＶなどで実用化されている。
【０００３】
図１は、ＯＦＤＭ通信方式による送信装置の概略構成を示す図である。図１において、送信信号は、シリアル／パラレル変換部（Ｓ／Ｐ）１により複数の並列シンボルに変換され、サブキャリア変調部２により、Ｉ／Ｑ成分に複素変調された複数のサブキャリア信号が生成され、逆高速フーリエ変換部（ＩＦＦＴ）３は各サブキャリア信号を逆高速フーリエ変換する。ＩＦＦＴ３からの出力信号（送信データ）は、ガードインターバル（ＧＩ）挿入部４によりガードインターバルが付与される。フレーム化部５は、各送信データを結合してフレーム化する。その後RF信号に周波数変換（図示せず）された後、アンテナから送信される。
【０００４】
図２は、フレーム化部５における送信データのタイミングチャートを示す図である。図２では、一例として、２つの送信データ１、送信データ２を結合する場合を示し、各送信データは、サンプルと呼ばれる単位（「ＤＴ」で表示される区画）に分けられ、図２では、１サンプルは４クロックである。また、１サンプルにおけるクロック毎のビットデータは同一である。すなわち、１サンプルは「００００」又は「１１１１」のいずれかとなる。
【０００５】
通常時は、図２（ａ）に示すように、送信データ１の終了タイミングと送信データ２の開始タイミングが一致し、それぞれ１クロックずつシフト（遅延）させてからそのまま加算することで、各送信データが結合し、フレーム化される。各送信データは、シフトレジスタで１クロック分シフトされて加算される。各送信データの開始タイミングに同期した基準タイミングがフレーム化部５に入力され、フレーム化部５は、基準タイミングに基づいて、各送信データを加算する。
【０００６】
しかしながら、送信データ２の開始タイミング（基準タイミング）が変動する場合がある。図２（ｂ）は、送信データ２の開始タイミングが１クロック遅れる場合、図２（ｃ）は送信データ２の開始タイミングが１クロック早まる場合を示す。なお、送信データの開始タイミングの変動幅は通常±１クロックである。
【０００７】
図２（ｂ）に示すように、送信データ１の最後のサンプルＤＴｎの終了タイミングで、送信データ２の基準タイミングを検出しない場合は、送信データ１の最終サンプルデータＤＴｎに、ＤＴｎと同じデータ値のビットデータを１クロック分付加して、１クロック遅れた送信データ２と送信データ１を結合する。
【０００８】
また、図２（ｃ）に示すように、送信データ１の最後のサンプルＤＴｎの終了タイミングより前に送信データ２の基準タイミングを検出した場合は、送信データ１の最終サンプルデータＤＴｎを１クロック短縮することで、１クロック早い送信データ２と送信データ１とを結合する。上述したように、サンプルデータＤＴｎの通常の４クロック部分のデータ値は同じ値なので、１クロック分削減されても、ＤＴｎのデータは欠落しない。
【０００９】
図３は、ＯＦＤＭの周波数スペクトラムを示す図である。各送信データはそれぞれ時間的に不連続な信号であり、その場合に生じる大きな帯域外漏洩電力（図３の波形ａ）を抑圧する必要がある。そのために、不連続な信号を擬似的に連続信号に見せかけ、帯域外漏洩電力を減衰させる処理として、タイムウインドウイング(Time Windowing)処理（Windowing処理又は時間窓処理とも呼ばれる）が行われる。図３の波形ｂは、タイムウインドウイング処理により帯域外漏洩電力が抑圧された波形である。
【００１０】
図４は、タイムウインドウイング処理を説明する図である。図４は、一つの送信データの先頭部分と最後尾部分に付加されるデータ部分（Nwin/2）を示す。図４に示すように、送信データの一部（Nwin/2）を抽出して、送信データの先頭と最後尾の両端に付加し、先の送信データの最後尾部分に付加されたデータ部分とその後の送信データの先頭部分に付加されたデータ部分とがオーバラップする部分（Nwin）を形成する。タイムウインドウイング処理は、そのオーバラップ部分に、Raised Cosine関数の係数を乗算する処理である（特許文献１参照）。
【特許文献１】特表２００２−５１８８７８号公報
【発明の開示】
【発明が解決しようとする課題】
【００１１】
図５は、オーバラップ部分を有する送信データのタイミングチャートを示す。送信データ１の最後尾のサンプルデータＤＴｎの後ろに付加されたデータ部分（Nwin/2）は、ＤＴｎ＋１とＤＴｎ＋２であり、送信データ２の先頭のサンプルデータＤＴ１の前に付加されたデータ部分（Nwin/2）がＤＴ１−２とＤＴ１−１であり、オーバラップする部分(Nwin)は、送信データ１のＤＴｎ−１、ＤＴｎ、ＤＴｎ＋１、ＤＴｎ＋２の区間と、送信データ２のＤＴ１−２、ＤＴ１−１、ＤＴ１、ＤＴ２の区間である。送信データ２の基準タイミングは、データ部分（Nwin/2）が付加されていない状態における送信データ２の先頭のサンプルデータＤＴ１の開始タイミングである。
【００１２】
オーバラップ部分では、送信データ１の最後尾部分に付加されたサンプルデータと送信データ２の先頭部分に付加されたサンプルデータが加算され、送信データ１と送信データ２が結合される。
【００１３】
このとき、図５に示すように、送信データ２の基準タイミングが１クロック遅れる場合、オーバラップ部分の一部で、加算される送信データ１と送信データ２のデータ部分（Nwin/2）の位相（開始タイミング）がずれる場合が生じ、オーバラップ部分において、送信データ１と送信データ２が正常に加算されない部分が発生する。具体的には、基準タイミング信号に基づいて、上述したように、ＤＴｎを１クロック延ばしても、オーバラップ部分において、送信データ１のサンプルデータＤＴｎ−１と、それと本来オーバラップする送信データ２のサンプルデータＤＴ１−２とが位相（開始タイミング）ずれをおこし、ＤＴｎ−１とＤＴ１−２が加算されない部分が発生する。同様に、送信データ１のサンプルデータＤＴｎと、それと本来オーバラップする送信データ２のサンプルデータＤＴ１−１とも位相（開始タイミング）ずれを起こし、ＤＴｎとＤＴ１−１とが加算されない部分が発生する。加算にずれが生じると、タイムウインドウイング処理が正常に行われず、帯域外漏洩電力を十分に抑圧できない。送信データ２の基準タイミングが１クロック早い場合も同様の問題が生じる。
【００１４】
そこで、本発明は、オーバラップ部分を有する送信データの基準タイミングが変動した場合に、オーバラップ部分における送信データ同士の位相を合わせて正常な加算を行うことのできる無線送信装置を提供することにある。
【課題を解決するための手段】
【００１５】
上記課題を解決するための本発明の無線送信装置の第一の構成は、  第一の送信データの最後尾部分に付された第一のデータ部分と第二の送信データの先頭部分に付された第二のデータ部分とがオーバラップされて、前記第一の送信データと前記第二の送信データとを結合して送信する無線送信装置において、  前記第一のデータ部分の開始タイミングと前記第二のデータ部分の開始タイミングのずれを検出する検出部と、  検出されたずれに基づいて、前記第一のデータ部分の開始タイミングと前記第二のデータ部分の開始タイミングとが一致するように、前記第一の送信データの最後尾部分の長さを調整する調整部と、  開始タイミングが一致した前記第一のデータ部分と前記第二のデータ部分とをオーバラップさせて前記第一の送信データと前記第二の送信データとを加算することにより、前記第一の送信データと前記第二の送信データを結合する加算部とを備えることを要件とする。
【００１６】
本発明の無線送信装置の第二の構成は、上記第一の構成において、前記調整部は、入力された前記第一の送信データを複数の異なるタイミングでそれぞれ出力する第一の遅延回路と、前記第一の遅延回路から複数の異なるタイミングで出力される複数の前記第一の送信データが入力され、検出されたずれに基づいて、複数の前記第一の送信データのうちの一つを選択して出力するセレクタとを備え、前記セレクタから出力される第一の送信データが前記加算部に入力されることを要件とする。
【００１７】
本発明の無線送信装置の第三の構成は、上記第二の構成において、前記調整部は、入力された前記第二の送信データを１クロック遅延させて出力する第二の遅延回路を備え、前記第一の遅延回路は、入力された前記第一の送信データを１クロック遅延させて出力する第一のタイミングと、入力された前記第一の送信データを２クロック遅延させて出力する第二のタイミングと、入力された前記第一の送信データを遅延させずに出力する第三のタイミングで前記第一の送信データを出力し、前記セレクタは、前記第二のデータ部分の開始タイミングが前記第一のデータ部分の開始タイミングより１クロック遅い場合、前記第二のタイミングで出力される前記第一の送信データを選択し、前記第二のデータ部分の開始タイミングが前記第一のデータ部分の開始タイミングより１クロック早い場合、前記第三のタイミングで出力される前記第一の送信データを選択し、前記第二のデータ部分の開始タイミングと前記第一のデータ部分の開始タイミングとが一致している場合、前記第一のタイミングで出力される前記第一の送信データを選択することを要件とする。
【００１８】
本発明の無線送信装置の第四の構成は、上記第三の構成において、前記第一の遅延回路は、さらに、入力された前記第一の送信データを３クロック以上の所定クロック遅延させて出力する第四のタイミングで前記第一の送信データを出力可能であって、前記セレクタは、前記第二のデータ部分の開始タイミングが前記第一のデータ部分の開始タイミングより前記所定クロック遅い場合は、前記第四のタイミングで出力される前記第一の送信データを選択することを要件とする。
【００１９】
本発明の無線送信装置の第五の構成は、上記第四の構成において、前記検出部は、すでに取得している前記第一の送信データに関する所定の基準タイミング信号に基づいて前記第一のデータ部分の開始タイミングを求め、前記第二のデータ部分の入力に基づいて第二のデータ部分の開始タイミングを求め、当該求められた前記第一のデータ部分の開始タイミングと前記第二のデータ部分の開始タイミング入力タイミングとのずれを検出することを要件とする。
【発明の効果】
【００２０】
本発明によれば、ブロック単位の送信データの結合領域がオーバラップされる場合に、そのオーバラップ部分のずれを補正し、送信データ同士を正しく加算することで、オーバラップ部分に施されるタイムウインドウイング処理を正常に実行することができるようになる。
【発明を実施するための最良の形態】
【００２１】
以下、図面を参照して本発明の実施の形態について説明する。しかしながら、かかる実施の形態例が、本発明の技術的範囲を限定するものではない。
【００２２】
図６は、本発明の実施の形態における無線送信装置の第一のブロック構成例を示す図である。特に、タイムウインドウイング処理を行うＯＦＤＭ通信において、互いにオーバラップするデータ部分を有する送信データ１、送信データ２を結合してフレーム化する機能部分の構成例を示す。位相差検出部１１は、送信データ１と送信データ２の位相差（開始タイミングのずれ）を検出する。タイミング制御部１２は、基準タイミング信号に基づいて送信データ１と送信データ２のオーバラップ開始タイミング信号を生成する。なお、送信データ１と送信データ２の位相変動幅は±１クロックである。
【００２３】
シフトレジスタ１３は、入力された送信データ１の位相に対して、１クロック遅延させた送信データ１及び２クロック遅延させた送信データ１を出力する。さらに、入力された送信データ１と同位相の送信データ１も出力する（すなわち、入力された送信データ１を遅延させずにそのまま出力する）。従って、シフトレジスタ１３は、入力された送信データ１に対して、遅延していない送信データ１、１クロック遅延した送信データ１、２クロック遅延した送信データ１の３つの異なるタイミングの送信データ１を出力する。
【００２４】
ＦＦ回路１４は、入力された送信データ２の位相に対して、１クロック遅延させた送信データ２を出力する。
【００２５】
セレクタ１５は、シフトレジスタ１３はから出力される３つの送信データ１のうちのいずれかを選択して出力し、セレクト信号生成部１６は、位相差検出部１１により検出される位相差に基づいてシフトレジスタ１３から異なるタイミングで出力される３つの送信データ１のうちの１つを選択するためのセレクト信号を生成し、セレクタ１５に供給する。
【００２６】
乗算係数生成部１７は、タイミング制御部１２からのオーバラップ開始タイミング信号を受信すると、タイムウインドウイング処理によりオーバラップ部分に乗算される係数(Raised Cosine関数)を生成し、乗算部１８−１、１８−２に出力する。乗算部１８−１は、セレクタ１５から出力された送信データ１のオーバラップ部分に対して、乗算係数生成部１７によって生成された係数を乗算する処理を実行し、乗算部１８−２は、ＦＦ回路１４から出力された送信データ２のオーバラップ部分に対して、乗算係数生成部１７によって生成された係数を乗算する処理を実行する。
【００２７】
加算部１９は、乗算処理された送信データ１、２を加算し、送信データ１、２をフレーム化する。以下、図７乃至図９を参照して、本発明の実施の形態における無線送信装置の動作について説明する。
【００２８】
図７乃至図９は、第一の構成例の無線送信装置の動作を説明する図であり、図７は送信データ２の基準タイミングが正常な場合のタイミングチャート、図８は送信データ２の基準タイミングが１クロック遅れる場合のタイミングチャート、図９は送信データ２の基準タイミングが１クロック遅れる場合のタイミングチャートを示す。
【００２９】
図５と同様に、送信データ１の最後尾のサンプルデータＤＴｎの後ろに付加されたサンプルデータＤＴｎ＋１とＤＴｎ＋２が付加されたデータ部分（Nwin/2）であり、送信データ２の先頭のサンプルデータＤＴ１の前に付加されたサンプルデータＤＴ１−２とＤＴ１−１が付加されたデータ部分（Nwin/2）である。従って、送信データ１と送信データ２のオーバラップする区間(Nwin)は、送信データ１のＤＴｎ−１、ＤＴｎ、ＤＴｎ＋１、ＤＴｎ＋２の区間と、送信データ２のＤＴ１−２、ＤＴ１−１、ＤＴ１、ＤＴ２の区間である。送信データ２の基準タイミングは、データ部分（Nwin/2）が付加されている場合であっても、データ部分（Nwin/2）が付加されていない状態における送信データ２の先頭のサンプルデータＤＴ１の開始タイミングである。オーバラップ部分では、送信データ１の最後尾部分に付加されたデータ部分（Nwin/2）と送信データ２の先頭部分に付加されたデータ部分（Nwin/2）が重ねられ加算される。
【００３０】
位相差検出部１１は、送信データ１と送信データ２それぞれを構成する複数のサンプルデータの変化タイミングを検出する。サンプルデータの長さは例えば４クロックである。図７の場合では、位相差検出部１１は、すでに入力されている送信データ１について、４クロック毎にサンプルデータの変化タイミングを検出している。一方、送信データ２については、オーバラップ区間の開始タイミングで入力が開始され、位相差検出部１１は、データ部分（Nwin/2）が付加された送信データ２の先頭サンプルデータ（ＤＴ１−２）が入力されるタイミングで、送信データ２のサンプルデータ単位の変化タイミングを検出し、その後、４クロック毎にサンプルデータの変化タイミングを検出する。
【００３１】
図７に示すように、送信データ２が基準タイミングで入力される場合（正常状態）、位相差検出部１１は、送信データ２の先頭サンプルデータ（ＤＴ１−２）の変化タイミングと同一タイミングで、送信データ１の変化タイミング（具体的には、サンプルデータＤＴｎ−１の変化タイミング）も検出する。従って、位相差検出部１１は、オーバラップ部分がずれていない旨の位相差判定信号をセレクト信号生成部１６に送る。
【００３２】
セレクト信号生成部１６は、当該位相差判定信号に基づいて、シフトレジスタ１３から異なるタイミングで出力される３つの送信データ１のうち、１クロック遅延された送信データ１を選択するためのセレクト信号を生成し、セレクタ１５に供給する。セレクタ１５は、当該セレクト信号に応じて、１クロック遅延された送信データ１を出力する。
【００３３】
送信データ２は、ＦＦ回路１４で１クロック遅延されて出力されるので、送信データ１、２ともに１クロック遅延となり、両送信データ１、２のオーバラップ部分がずれずに同位相が維持される。従って、それぞれ乗算器１８−１、１８−２を通った後、オーバラップ部分がずれずに加算部１９で正常に加算される。
【００３４】
図８に示すように、送信データ２が基準タイミングより１クロック遅れて入力される場合、位相差検出部１１は、送信データ２の先頭サンプルデータ（ＤＴ１−２）の変化タイミングで、送信データ１の変化タイミングを検出せず、且つ１クロック前に送信データの変化タイミング（具体的には、サンプルデータＤＴｎ−１の変化タイミング）を検出している。このような場合、位相差検出部１１は、送信データ２が１クロック遅れてオーバラップ部分がずれていると判定し、その旨の位相差判定信号をセレクト信号生成部１６に送る。
【００３５】
セレクト信号生成部１６は、当該位相差判定信号に基づいて、シフトレジスタ１３から異なるタイミングで出力される３つの送信データ１のうち、２クロック遅延された送信データ１を選択するためのセレクト信号を生成し、セレクタ１５に供給する。セレクタ１５は、当該セレクト信号に応じて、２クロック遅延された送信データ１を出力する。
【００３６】
送信データ２は、１クロック遅れており、さらに、ＦＦ回路１４で１クロック遅延されて出力されるので、結果２クロック遅れとなる。送信データ１についても、セレクタ１５から２クロック遅れたものが出力されるので、乗算部１８−１、１８−２及び加算部１９の入力タイミングでは、送信データ１、２ともに２クロック遅延の同位相となり、両送信データ１、２のオーバラップ部分はずれずに、それぞれ乗算器１８−１、１８−２を通った後、加算部１９で正常に加算される。
【００３７】
なお、シフトレジスタ１３を用いて、２クロック分シフトさせた送信データ１をあらかじめ生成し、送信データ２の１クロック遅れを検出したタイミングで２クロック分遅延させた送信データ１に切り替えることで、送信データ１のサンプルデータＤＴｎをさらに１クロック延ばす。なお、延長された１クロック部分のデータ値は、サンプルデータＤＴｎの通常の４クロック部分のデータ値と同じ値となる。
【００３８】
また、図９に示すように、送信データ２が基準タイミングより１クロック早く入力される場合、位相差検出部１１は、送信データ２の先頭サンプルデータ（ＤＴ１−２）の変化タイミングで、送信データ１の変化タイミングを検出せず、且つ１クロック前でも送信データの変化タイミングを検出していない。このような場合、位相差検出部１１は、送信データ２が１クロック早いことによりオーバラップ部分がずれていると判定し、その旨の位相差判定信号をセレクト信号生成部１６に送る。
【００３９】
セレクト信号生成部１６は、当該位相差判定信号に基づいて、シフトレジスタ１３から異なるタイミングで出力される３つの送信データ１のうち、遅延されていない送信データ１を選択するためのセレクト信号を生成し、セレクタ１５に供給する。セレクタ１５は、当該セレクト信号に応じて、遅延されていない送信データ１を出力する。
【００４０】
送信データ２は、１クロック早く入力され、且つ、ＦＦ回路１４で１クロック遅延されて出力されるので、結果、ＦＦ回路１４での１クロック遅延は相殺されて、基準タイミングに対してクロックずれのない信号となる。送信データ１についても、遅延されていない（クロックずれのない）信号がセレクタ１５から出力されるので、乗算部１８−１、１８−２及び加算部１９の入力タイミングでは、送信データ１、２ともに遅延なしの同位相となり、両送信データ１、２のオーバラップ部分はずれずに、それぞれ乗算器１８−１、１８−２を通った後、加算部１９で正常に加算される。
【００４１】
シフトレジスタ１３により遅延させない送信データ１を残しておき、送信データ２の１クロック早いことを検出したタイミングで遅延していない送信データ１に切り替えることで、送信データ１のサンプルデータＤＴｎを１クロック短縮する。なお、サンプルデータＤＴｎを１クロック短縮しても、上述したように、サンプルデータＤＴｎの通常の４クロック部分のデータ値は同じ値なので、１クロック分削減されても、ＤＴｎのデータ値は残りの部分で維持される。
【００４２】
図１０は、本発明の実施の形態における無線送信装置の第二のブロック構成例を示す図である。第二のブロック構成例では、第一のブロック構成例との比較において、送信データ２が２クロック以上遅れる場合も、オーバラップ部分がずれないように、送信データ１の位相を調整する。
【００４３】
位相差検出部１１には、送信データ１と送信データ２に加えて、オーバラップ開始タイミング信号が入力される。タイミング制御部１２は、すでに入力されている送信データ１の基準タイミングとあらかじめ設定されている送信データ１のサンプルデータ数に基づいて、送信データ１におけるオーバラップ部分の開始タイミング（サンプルデータＤＴｎ−１の変化タイミング）を求め、その開始タイミングでオーバラップ部分開始タイミング信号を位相差検出部１１に供給する。
【００４４】
位相差検出部１１は、送信データ２の最初の変化タイミングを検出し、オーバラップ部分開始タイミングとのクロック差を求める。位相差検出部は、クロック差をセレクト信号生成部１６に通知し、クロック差に応じたセレクト信号を生成し、それをセレクタ１５に供給する。
【００４５】
シフトレジスタ１３は、第一のブロック構成例で生成した遅延なし、１クロック遅延、２クロック遅延の送信データ１に加えて、２クロックよりも大きいｎクロック（ｎ＞２）遅延させた送信データ１を出力可能なものにする。これにより、送信データ２の遅延が１クロックより大きい場合でも、そのクロック差に応じて遅延させた送信データ１を出力させることで、送信データ１と送信データ２のオーバラップ部分がずれないようにすることができる。
【００４６】
図１１は、第二の構成例の無線送信装置の動作を説明する図であり、送信データ２の基準タイミングが４クロック遅れる場合のタイミングチャートを示す。シフトレジスタ１３は、最大５クロックまで１クロックずつ遅延させた送信データ１を出力する。遅延させない送信データ１も出力する（計６つの送信データ１を出力）。
【００４７】
位相差検出部１１は、送信データ２の最初の変化タイミングとオーバラップ部分開始タイミングとから、送信データ２の４クロック遅延を検出する。
【００４８】
従って、セレクト信号生成部１６は、シフトレジスタ１３から異なるタイミングで出力される６つの送信データ１のうち、４クロック遅延された送信データ１を選択するためのセレクト信号を生成し、セレクタ１５に供給する。セレクタ１５は、当該セレクト信号に応じて、５クロック遅延された送信データ１を出力する。その後の動作は、図８の動作と同様である。
【００４９】
なお、第一の構成例において、位相差検出部１１は、送信データ２の最初の変化タイミング直前（１クロック前）の送信データ１の変化タイミングに代わって、オーバラップ部分開始タイミングを用いても、同様の動作が実現可能である。すなわち、オーバラップ部分開始タイミングと送信データ２の変化タイミングとのずれによりオーバラップ部分のずれを検出する。
【００５０】
本発明の無線送信装置は、基地局及び移動局のいずれにも適用可能である。また、タイムウインドウイング処理を行うＯＦＤＭ通信に限らず、オーバラップ部分を有する送信データのオーバラップ部分を加算して送信データを結合してフレーム化する方式を有するさまざまな通信方式に適用可能である。
【図面の簡単な説明】
【００５１】
【図１】ＯＦＤＭ通信方式による送信装置の概略構成を示す図である。
【図２】加算部５における送信データのタイミングチャートを示す図である。
【図３】ＯＦＤＭの周波数スペクトラムを示す図である。
【図４】タイムウインドウイング処理を説明する図である。
【図５】オーバラップ部分を有する送信データのタイミングチャートを示す。
【図６】本発明の実施の形態における無線送信装置の第一のブロック構成例を示す図である。
【図７】第一の構成例の無線送信装置の動作を説明する図である。
【図８】第一の構成例の無線送信装置の動作を説明する図である。
【図９】第一の構成例の無線送信装置の動作を説明する図である。
【図１０】本発明の実施の形態における無線送信装置の第二のブロック構成例を示す図である。
【図１１】第二の構成例の無線送信装置の動作を説明する図である。
【符号の説明】
【００５２】
１１：位相差検出部、１２：タイミング制御部、１３：シフトレジスタ、１４：ＦＦ回路、１５：セレクタ、１６：セレクト信号生成部、１７：乗算係数生成部、１８：乗算部、１９：加算部
【図１】
0004900201.tif 000002
【図２】
0004900201.tif 000003
【図３】
0004900201.tif 000004
【図４】
0004900201.tif 000005
【図５】
0004900201.tif 000006
【図６】
0004900201.tif 000007
【図７】
0004900201.tif 000008
【図８】
0004900201.tif 000009
【図９】
0004900201.tif 000010
【図１０】
0004900201.tif 000011
【図１１】
0004900201.tif 000012